(57)【要約】【課題】既存のメッセージングシステムを改善すること。【解決手段】  本発明は、新しいメッセージシステムに関係する様々な方法、システム、プロセス、アプリケーション、及び製品を含む、新しいメッセージシステムに関する。一実施形態では、新しいメッセージシステムにより、少なくとも電子メールアドレス等の電子メール内のフィールドの外観を、ユーザがカスタマイズすることが可能になる。ソーシャルメディア又はソーシャルネットワーク等の他の例示的なメッセージシステムでは、ユーザは、自分の連絡先アドレス又はＩＤ等の、別のパーティに表示される自分の識別情報（「ＩＤ」）の外観をカスタマイズすることができる。例えば、そのようなカスタマイゼーションは、個人レベルでは、さらなる個別化及び個性を実現することができ、商用レベルでは、例えばトレードマークの露出の包含及び強調を実現する可能性がある。例えば、そのようなカスタマイゼーションは、カスタマイゼーション設計を記憶し、それを視覚目的の使用に提供及び適用する、登録サービスデータベースのユーザによって管理することができる。【選択図】図１
2016539428.tif 000002
【特許請求の範囲】
【請求項１】
受信側メッセージシステムにおいて少なくとも１つの表示フィールドのカスタマイゼーションを実現する方法であって、
受信側メッセージシステムにおいてメッセージを受信するステップであって、前記メッセージが少なくともフィールド及び本文を備える、ステップと、
前記受信側メッセージシステムからメッセージカスタマイゼーション登録サービスにカスタムデータの要求を送るステップであって、カスタムフィールドデータの前記要求が、フィールドに含まれているアドレスの少なくとも一部分を示す情報を備える、ステップと、
前記アドレスの前記少なくとも一部分が前記メッセージカスタマイゼーション登録サービスに登録されると、前記受信側メッセージシステムにおいて前記メッセージカスタマイゼーション登録サービスからカスタムデータを受信するステップであって、前記カスタムデータが、少なくとも１つの表示フィールド内のデータの所望の外観、及び前記少なくとも１つの表示フィールドに対して実行され得るアクションのうちの少なくとも１つに関する、ステップと、
前記メッセージが前記カスタムデータに基づいて前記メッセージシステムによって表示されるときに、前記少なくとも１つの表示フィールドのコンテンツの前記外観、及び前記少なくとも１つの表示フィールドに対して実行され得るアクションのうちの少なくとも１つを制御するステップと
を含む、方法。
【請求項２】
前記メッセージシステムが電子メールシステムであり、前記アドレスが電子メールアドレスであり、電子メールアドレスの少なくとも一部分を示す情報が前記電子メールアドレスの一部を形成するドメイン名であり、前記ドメイン名が前記メッセージカスタマイゼーション登録サービスに登録されている場合、カスタムデータが受信される、請求項１に記載の方法。
【請求項３】
前記メッセージシステムが、ソーシャルメディア若しくはソーシャルネットワークのシステム、ＳＭＳ（ショートメッセージサービス）若しくはテキストメッセージのシステム、通話システム、又は任意の他のメッセージシステムであり、前記アドレスが「ＩＤ」（前記「ＩＤ」は識別番号、アドレス、又は連絡先の詳細である）であり、前記アドレスの一部を形成する前記ＩＤの少なくとも一部が前記メッセージカスタマイゼーション登録サービスに登録されている場合、カスタムデータが受信される、請求項１に記載の方法。
【請求項４】
メッセージアドレスの少なくとも一部分を示す前記情報が前記メッセージカスタマイゼーション登録サービスに登録されていない場合、前記受信側メッセージシステムにおいて前記メッセージカスタマイゼーション登録サービスから否定応答を受信するステップと、
前記否定応答に応答してデフォルトフォントで各表示フィールドを表示するステップと
を含む、請求項１から３の何れか一項に記載の方法。
【請求項５】
前記少なくとも１つの表示フィールドに対して実行され得るアクションに関するカスタムデータが、ＵＲＬを選択するようにユーザインターフェースを操作することによって、前記ＵＲＬに対応するポップアップ及び／又はウェブページにユーザがアクセスすることを可能にするために、前記少なくとも１つの表示フィールドに配置された前記ＵＲＬを備える、請求項１から４の何れか一項に記載の方法。
【請求項６】
前記受信側メッセージシステムのローカルデータベースに前記カスタムデータを記憶するステップを含む、請求項１から５の何れか一項に記載の方法。
【請求項７】
前記メッセージカスタマイゼーション登録サービスに前記要求を送る前に、アドレスの少なくとも一部分を示す前記情報に対応する任意の記憶されたカスタムデータを求めて、前記ローカルデータベースを検索するステップと、前記メッセージが前記検索で特定された任意の記憶されたカスタムデータに基づいて前記メッセージシステムによって表示されるときに、前記少なくとも１つの表示フィールドの前記コンテンツの前記外観、及び前記少なくとも１つの表示フィールドに対して実行され得るアクションのうちの少なくとも１つを制御するステップとを含む、請求項６に記載の方法。
【請求項８】
実行されたとき、請求項１から７の何れか一項に記載の方法を実施する、コンピュータプログラムコード。
【請求項９】
請求項８に記載のコンピュータプログラムコードを備える、コンピュータ可読媒体。
【請求項１０】
アドレスの少なくとも一部分によってインデックス付けされたカスタムフィールドデータのデータベースであって、カスタムフィールドデータ項目が、少なくとも１つの表示フィールド内のデータの所望の外観、及び前記少なくとも１つの表示フィールドに対して実行され得るアクションのうちの少なくとも１つに関し、メッセージが受信側メッセージシステムによってユーザに表示されるときに、前記少なくとも１つの表示フィールドのコンテンツの前記外観、及び前記少なくとも１つの表示フィールドに対して実行され得るアクションのうちの少なくとも１つを制御するために、前記受信側メッセージシステムによって使用され得る、データベースを備えるメッセージカスタマイゼーション登録サービスであって、
前記メッセージカスタマイゼーション登録サービスが、フィールド又はアドレスの少なくとも一部分を示す情報を備えるカスタムフィールドデータの要求を受信側メッセージシステムから受信することと、アドレスの少なくとも一部分を示す前記受信された情報に基づいてカスタムフィールドデータの前記データベースを検索することと、前記受信されたカスタムデータに基づいて前記送信側及び／又は受信側のメッセージシステムに任意の特定されたカスタムフィールドデータを送ることとを行うように構成される、
メッセージカスタマイゼーション登録サービス。
【請求項１１】
前記メッセージシステムが電子メールシステムであり、前記アドレスが電子メールアドレスであり、前記アドレスの少なくとも一部分がドメイン名を備える、請求項１０に記載のメッセージカスタマイゼーション登録サービス。
【請求項１２】
前記メッセージシステムが、ソーシャルメディア若しくはソーシャルネットワークのシステム、ＳＭＳ（ショートメッセージサービス）若しくはテキストメッセージのシステム、通話システム、又は任意の他のメッセージシステムであり、前記アドレスが「ＩＤ」（前記「ＩＤ」は識別番号、アドレス、又は連絡先の詳細である）であり、前記アドレスの一部を形成する前記ＩＤの少なくとも一部が前記メッセージカスタマイゼーション登録サービスに登録されている場合、カスタムデータが受信される、請求項１０に記載の方法。
【請求項１３】
前記カスタムフィールドデータの要求がアドレス全体を備え、前記カスタマイゼーション登録サービスが、前記アドレス全体から少なくとも一部分を抽出して前記データベースを検索するように構成される、請求項１０から１２の何れか一項に記載のメッセージカスタマイゼーション登録サービス。
【請求項１４】
実行されたとき、請求項１０から１３の何れか一項に記載の方法を実施する、コンピュータプログラムコード。
【請求項１５】
請求項１４に記載のコンピュータプログラムコードを備える、コンピュータ可読媒体。
【請求項１６】
メッセージを受信することであって、前記メッセージが少なくともフィールド及び本文を備える、受信することと、
前記メッセージシステムからメッセージカスタマイゼーション登録サービスにカスタムデータの要求を送ることであって、前記カスタムデータの要求が前記アドレスの少なくとも一部分を示す情報を備える、送ることと、
前記アドレスの少なくとも一部分が前記メッセージカスタマイゼーション登録サービスに登録されると、前記メッセージカスタマイゼーション登録サービスから前記カスタムデータを受信することであって、前記カスタムデータが、少なくとも１つの表示フィールド内のデータの所望の外観、及び前記少なくとも１つの表示フィールドに対して実行され得るアクションのうちの少なくとも１つに関する、受信することと、
前記メッセージが受信された前記カスタムデータに基づいて前記メッセージシステムによって表示されるときに、前記少なくとも１つの表示フィールドのコンテンツの外観、及び前記少なくとも１つの表示フィールドに対して実行され得るアクションのうちの少なくとも１つを制御することと
を行うように構成された受信側メッセージシステムを備える、コンピュータベースのシステム。
【請求項１７】
前記メッセージシステムが電子メールシステムであり、前記アドレスが電子メールアドレスであり、電子メールアドレスの少なくとも一部分を示す前記情報が前記電子メールアドレスの一部を形成するドメイン名であり、前記ドメイン名が前記メッセージカスタマイゼーション登録サービスに登録されている場合、カスタムデータが受信される、請求項１６に記載のコンピュータベースのシステム。
【請求項１８】
前記メッセージシステムが、ソーシャルメディア若しくはソーシャルネットワークのシステム、ＳＭＳ（ショートメッセージサービス）若しくはテキストメッセージのシステム、通話システム、又は任意の他のメッセージシステムであり、前記アドレスが「ＩＤ」（前記「ＩＤ」は識別番号、アドレス、又は連絡先の詳細である）であり、前記アドレスの一部を形成する前記ＩＤの少なくとも一部が前記メッセージカスタマイゼーション登録サービスに登録されている場合、カスタムデータが受信される、請求項１６に記載の方法。
【請求項１９】
前記受信側メッセージシステムが、
アドレスの少なくとも一部分を示す前記情報が前記メッセージカスタマイゼーション登録サービスに登録されていない場合、前記メッセージカスタマイゼーション登録サービスから否定応答を受信することと、
前記否定応答に応答してデフォルトフォントで各表示フィールドを表示することと
を行うように構成された、請求項１６から１８の何れか一項に記載のコンピュータベースのシステム。
【請求項２０】
前記少なくとも１つの表示フィールドに対して実行され得るアクションに関するカスタムデータが、ＵＲＬを選択するようにユーザインターフェースを操作することによって、前記ＵＲＬに対応するポップアップ及び／又はウェブページにユーザがアクセスすることを可能にするために、前記少なくとも１つの表示フィールドに配置された前記ＵＲＬを備える、請求項１６から１９の何れか一項に記載のコンピュータベースのシステム。
【請求項２１】
アドレスの少なくとも一部分によってインデックス付けされたカスタムフィールドデータのデータベースを備えるメッセージカスタマイゼーション登録サービスを備え、前記メッセージカスタマイゼーションサービスが、カスタムフィールドデータの要求を送信側又は受信側のメッセージシステムから受信することと、アドレスの少なくとも一部分を示す受信された前記情報に基づいてカスタムフィールドデータの前記データベースを検索することと、前記受信側メッセージシステムに任意の特定されたカスタムフィールドデータを送ることとを行うように構成される、請求項１６から２０の何れか一項に記載のコンピュータベースのシステム。
【請求項２２】
前記メッセージシステムが電子メールシステムであり、前記アドレスが電子メールアドレスであり、電子メールアドレスの前記少なくとも一部分がドメイン名を備える、請求項１６に記載のコンピュータベースのシステム。
【請求項２３】
前記カスタムフィールドデータの要求が電子メールアドレス全体を備え、前記メッセージカスタマイゼーション登録サービスが、前記電子メールアドレス全体から少なくとも一部分を抽出して前記データベースを検索するように構成される、請求項２２に記載のコンピュータベースのシステム。
【請求項２４】
前記受信側メッセージシステムがローカルデータベースを備え、前記受信側メッセージシステムが、前記ローカルデータベースに前記カスタムデータを記憶するように構成される、請求項１６から２３の何れか一項に記載のコンピュータベースのシステム。
【請求項２５】
前記受信側メッセージシステムが、前記メッセージカスタマイゼーション登録サービスに前記要求を送る前に、アドレスの少なくとも一部分を示す前記情報に対応する任意の記憶されたカスタムデータを求めて、前記ローカルデータベースを検索することと、前記メッセージが前記検索で特定された任意の記憶されたカスタムデータに基づいて前記受信側メッセージシステムによってユーザに表示されるときに、前記少なくとも１つの表示フィールドの前記コンテンツの前記外観、及び前記少なくとも１つの表示フィールドに対して実行され得るアクションのうちの少なくとも１つを制御することとを行うように構成される、請求項１６から２４の何れか一項に記載のコンピュータベースのシステム。
【請求項２６】
実行されたとき、請求項１６から２５の何れか一項に記載の方法を実施する、コンピュータプログラムコード。
【請求項２７】
請求項２６に記載のコンピュータプログラムコードを備える、コンピュータ可読媒体。
【発明の詳細な説明】
【技術分野】
【０００１】
本発明は、一般に、例えば、電子メールシステム等のメッセージシステムにおいて少なくとも１つの表示フィールドのカスタマイゼーションを実現する方法に関する。主に電子メールシステムに関して本発明を記載することは好都合であるが、本発明はそのようなアプリケーションに限定されず、例えば、ソーシャルメディア及びソーシャルネットワークを含む多数のメッセージシステム、コンピュータテキスト及び電話テキストのメッセージシステム、通話、又は任意の他のメッセージシステムを含む、多くの他のメッセージシステムを含むべきであることを諒解されたい。
【背景技術】
【０００２】
本明細書は、１）「ＡＰＰＡＲＡＴＵＳ」と題する２０１３年８月２９日に提出された第２０１３９０３２８８号のオーストラリア仮出願、及び２）「ＭＥＴＨＯＤ  ＯＦ  ＡＮ  ＥＭＡＩＬ  ＳＹＳＴＥＭ」と題する２０１４年１月９日に提出された第２０１４９０００６４号のオーストラリア仮出願の権利を主張する。
その誕生以来、電子メールは、従来のメールサービスのコストの何分の１かで、送信者と受信者との間のほとんど即時的な通信を可能にするので、個人及びビジネスの通信方式に革命を起こしてきた。しかしながら、電子メール通信の容易さ及び相対的に低いコストは、限定はしないが、毎日電子メールアカウント所有者によって受信され得る非常に多くの電子メールの結果として、多くの電子メールユーザが遭遇する情報過多を含む、幾つかの問題も引き起こしてきた。電子メールアカウント所有者が遭遇する情報過多により、しばしば、受信されたどの電子メールが既知の又は関連する送信者からであるか、送信者の認証情報は認証済みかどうか、どの組織、会社、グループ、又は個人から受信者が電子メールを受信した場合があるかを、アカウント所有者が判定することが困難になる可能性がある。
【発明の概要】
【発明が解決しようとする課題】
【０００３】
したがって、既存のメッセージングシステムに対する改善の必要がある。
【課題を解決するための手段】
【０００４】
第１の広い態様では、本発明は、受信側メッセージシステムにおいて少なくとも１つの表示フィールドのカスタマイゼーションを実現する方法であって、
受信側メッセージシステムにおいてメッセージを受信するステップであって、前記メッセージが少なくともフィールド及び本文を備える、ステップと、
前記受信側メッセージシステムからメッセージカスタマイゼーション登録サービスにカスタムデータの要求を送るステップであって、カスタムフィールドデータの前記要求が、フィールドに含まれているアドレスの少なくとも一部分を示す情報を備える、ステップと、
前記アドレスの前記少なくとも一部分が前記メッセージカスタマイゼーション登録サービスに登録されると、前記受信側メッセージシステムにおいて前記メッセージカスタマイゼーション登録サービスからカスタムデータを受信するステップであって、前記カスタムデータが、少なくとも１つの表示フィールド内のデータの所望の外観、及び前記少なくとも１つの表示フィールドに対して実行され得るアクションのうちの少なくとも１つに関する、ステップと、
前記メッセージが前記カスタムデータに基づいて前記メッセージシステムによって表示されるときに、前記少なくとも１つの表示フィールドのコンテンツの前記外観、及び前記少なくとも１つの表示フィールドに対して実行され得るアクションのうちの少なくとも１つを制御するステップと
を含む、方法を提供するものである。
【０００５】
一実施形態では、前記メッセージシステムは、電子メールシステムであり、前記アドレスが電子メールアドレスであり、電子メールアドレスの少なくとも一部分を示す情報が前記電子メールアドレスの一部を形成するドメイン名であり、カスタムデータは、前記ドメイン名が前記メッセージカスタマイゼーション登録サービスに登録されている場合、受信される。
【０００６】
別の実施形態では、前記メッセージシステムは、ソーシャルメディア若しくはソーシャルネットワークのシステム、ＳＭＳ（ショートメッセージサービス）若しくはテキストメッセージのシステム、通話システム、又は任意の他のメッセージシステムであり、前記アドレスは「ＩＤ」（「ＩＤ」は識別番号、アドレス、又は連絡先の詳細である）であり、カスタムデータは、アドレスの一部を形成するＩＤの少なくとも一部がメッセージカスタマイゼーション登録サービスに登録されている場合受信される。
【０００７】
一実施形態では、前記方法は、
メッセージアドレスの少なくとも一部分を示す情報がメッセージカスタマイゼーション登録サービスに登録されていない場合、受信側メッセージシステムにおいてメッセージカスタマイゼーション登録サービスから否定応答を受信することと、
否定応答に応答してデフォルトフォントで各表示フィールドを表示することと
を含む。
【０００８】
一実施形態では、前記少なくとも１つの表示フィールドに対して実行され得るアクションに関するカスタムデータは、ＵＲＬを選択するようにユーザインターフェースを操作することによって、ＵＲＬに対応するポップアップ及び／又はウェブページにユーザがアクセスすることを可能にするために、少なくとも１つの表示フィールドに配置されたＵＲＬを備える。
【０００９】
一実施形態では、前記方法は、受信側メッセージシステムのローカルデータベースにカスタムデータを記憶することを含む。
【００１０】
一実施形態では、前記方法は、メッセージカスタマイゼーション登録サービスに要求を送る前に、アドレスの少なくとも一部分を示す情報に対応する任意の記憶されたカスタムデータを求めて、ローカルデータベースを検索することと、
メッセージが検索で特定された任意の記憶されたカスタムデータに基づいてメッセージシステムによって表示されるときに、少なくとも１つの表示フィールドのコンテンツの外観、及び少なくとも１つの表示フィールドに対して実行され得るアクションのうちの少なくとも１つを制御することと
を含む。
【００１１】
第２の広い態様では、本発明は、実行されたとき第１の広い態様の方法を実施するコンピュータプログラムコードを提供する。
【００１２】
第３の広い態様では、本発明は、第２の広い態様のコンピュータプログラムコードを備えるコンピュータ可読媒体を提供する。
【００１３】
第４の広い態様では、本発明は、
アドレスの少なくとも一部分によってインデックス付けされたカスタムフィールドデータのデータベースであって、カスタムフィールドデータ項目が、少なくとも１つの表示フィールド内のデータの所望の外観、及び前記少なくとも１つの表示フィールドに対して実行され得るアクションのうちの少なくとも１つに関し、メッセージが受信側メッセージシステムによってユーザに表示されるときに、前記少なくとも１つの表示フィールドのコンテンツの前記外観、及び前記少なくとも１つの表示フィールドに対して実行され得るアクションのうちの少なくとも１つを制御するために、前記受信側メッセージシステムによって使用され得る、データベースを備えるメッセージカスタマイゼーション登録サービスであって、
前記メッセージカスタマイゼーション登録サービスが、フィールド又はアドレスの少なくとも一部分を示す情報を備えるカスタムフィールドデータの要求を受信側メッセージシステムから受信することと、アドレスの少なくとも一部分を示す前記受信された情報に基づいてカスタムフィールドデータの前記データベースを検索することと、前記受信されたカスタムデータに基づいて前記送信側及び／又は受信側のメッセージシステムに任意の特定されたカスタムフィールドデータを送ることとを行うように構成されている、メッセージカスタマイゼーション登録サービスを提供するものである。
【００１４】
一実施形態では、前記メッセージシステムは、電子メールシステムであり、前記アドレスは電子メールアドレスであり、アドレスの少なくとも一部分はドメイン名を備える。
【００１５】
一実施形態では、前記メッセージシステムは、ソーシャルメディア若しくはソーシャルネットワークのシステム、ＳＭＳ（ショートメッセージサービス）若しくはテキストメッセージのシステム、通話システム、又は任意の他のメッセージシステムであり、アドレスは「ＩＤ」（「ＩＤ」は識別番号、アドレス、又は連絡先の詳細である）であり、カスタムデータは、アドレスの一部を形成するＩＤの少なくとも一部がメッセージカスタマイゼーション登録サービスに登録されている場合受信される。
【００１６】
一実施形態では、前記カスタムフィールドデータの要求は、アドレス全体を備え、カスタマイゼーション登録サービスは、アドレス全体から少なくとも一部分を抽出してデータベースを検索するように構成される。
【００１７】
第５の広い態様では、本発明は、実行されたとき第４の広い態様の方法を実施するコンピュータプログラムコードを提供するものである。
【００１８】
第６の広い態様では、本発明は、第５の広い態様のコンピュータプログラムコードを備えるコンピュータ可読媒体を提供する。
【００１９】
第７の広い態様では、本発明は、
メッセージを受信することであって、前記メッセージが少なくともフィールド及び本文を備える、受信することと、
前記メッセージシステムからメッセージカスタマイゼーション登録サービスにカスタムデータの要求を送ることであって、前記カスタムデータの要求が前記アドレスの少なくとも一部分を示す情報を備える、送ることと、
前記アドレスの少なくとも一部分が前記メッセージカスタマイゼーション登録サービスに登録されると、前記メッセージカスタマイゼーション登録サービスから前記カスタムデータを受信することであって、前記カスタムデータが、少なくとも１つの表示フィールド内のデータの所望の外観、及び前記少なくとも１つの表示フィールドに対して実行され得るアクションのうちの少なくとも１つに関する、受信することと、
前記メッセージが受信された前記カスタムデータに基づいて前記メッセージシステムによって表示されるときに、前記少なくとも１つの表示フィールドのコンテンツの外観、及び前記少なくとも１つの表示フィールドに対して実行され得るアクションのうちの少なくとも１つを制御することと
を行うように構成された受信側メッセージシステムを備える、コンピュータベースのシステムを提供するものである。
【００２０】
一実施形態では、前記メッセージシステムは電子メールシステムであり、前記アドレスは電子メールアドレスであり、前記電子メールアドレスの少なくとも一部分を示す情報は前記電子メールアドレスの一部を形成するドメイン名であり、カスタムデータは、ドメイン名がメッセージカスタマイゼーション登録サービスに登録されている場合受信される。
【００２１】
別の実施形態では、前記メッセージシステムはソーシャルメディア若しくはソーシャルネットワークのシステム、ＳＭＳ（ショートメッセージサービス）若しくはテキストメッセージのシステム、通話システム、又は任意の他のメッセージシステムであり、アドレスは「ＩＤ」（「ＩＤ」は識別番号、アドレス、又は連絡先の詳細である）であり、カスタムデータは、アドレスの一部を形成するＩＤの少なくとも一部がメッセージカスタマイゼーション登録サービスに登録されている場合受信される。
【００２２】
一実施形態では、前記受信側メッセージシステムは、
アドレスの少なくとも一部分を示す情報がカスタマイゼーション登録サービスに登録されていない場合、メッセージカスタマイゼーション登録サービスから否定応答を受信することと、
否定応答に応答してデフォルトフォントで少なくとも表示フィールドを表示することと
を行うように構成される。
【００２３】
一実施形態では、前記少なくとも１つの表示フィールドに対して実行され得るアクションに関するカスタムデータは、ＵＲＬを選択するようにユーザインターフェースを操作することによって、ＵＲＬに対応するポップアップ及び／又はウェブページにユーザがアクセスすることを可能にするために、少なくとも１つの表示フィールドに配置されたＵＲＬを備える。
【００２４】
一実施形態では、前記コンピュータベースのシステムは、アドレスの少なくとも一部分によってインデックス付けされたカスタムフィールドデータのデータベースを備えるメッセージカスタマイゼーション登録サービスを備え、メッセージカスタマイゼーションサービスは、カスタムフィールドデータの要求を送信側又は受信側のメッセージシステムから受信することと、アドレスの少なくとも一部分を示す受信された情報に基づいてカスタムフィールドデータのデータベースを検索することと、受信側メッセージシステムに任意の特定されたカスタムフィールドデータを送ることとを行うように構成される。
【００２５】
一実施形態では、前記メッセージシステムは電子メールシステムであり、アドレスは電子メールアドレスであり、電子メールアドレスの少なくとも一部分はドメイン名を備える。
一実施形態では、カスタムフィールドデータの要求は電子メールアドレス全体を備え、メッセージカスタマイゼーション登録サービスは、電子メールアドレス全体から少なくとも一部分を抽出してデータベースを検索するように構成される。
【００２６】
一実施形態では、前記受信側メッセージシステムはローカルデータベースを備え、受信側メッセージシステムはローカルデータベースにカスタムデータを記憶するように構成される。
【００２７】
一実施形態では、前記受信側メッセージシステムは、メッセージカスタマイゼーション登録サービスに要求を送る前に、アドレスの少なくとも一部分を示す情報に対応する任意の記憶されたカスタムデータを求めて、ローカルデータベースを検索することと、メッセージが検索で特定された任意の記憶されたカスタムデータに基づいて受信側メッセージシステムによってユーザに表示されるときに、少なくとも１つの表示フィールドのコンテンツの外観、及び少なくとも１つの表示フィールドに対して実行され得るアクションのうちの少なくとも１つを制御することとを行うように構成される。
【００２８】
第８の広い態様では、本発明は、実行されたとき第７の広い態様の方法を実施するコンピュータプログラムコードを提供するものである。
【００２９】
第９の広い態様では、本発明は、第８の広い態様のコンピュータプログラムコードを備えるコンピュータ可読媒体を提供するものである。
次に本発明の実施形態の例を添付の図を参照しながら説明する。
【図面の簡単な説明】
【００３０】
【図１】表示フィールドの少なくとも一部分のカスタマイゼーション用のメッセージシステムの概略図である。
【図２】メッセージシステム内のフィールドのカスタマイゼーションに関するカスタムデータをユーザがどのように登録するかを表す概略図である。
【図３】電子メールアドレス等のフィールドの様々なカスタマイズされた設計例を示す図である。
【図４】電子メールアドレスである、フィールドのカスタマイズされた設計レイアウトを示す図である。
【図５】電子メールアドレスである、フィールドのカスタマイズされた設計レイアウトを示す図である。
【図６】電子メールアドレスである、フィールドのカスタマイズされた設計レイアウトを示す図である。
【図７】電子メールアドレスである、フィールドのカスタマイズされた設計レイアウトを示す図である。
【図８】電子メールアドレスである、フィールドのカスタマイズされた設計レイアウトを示す図である。
【図９】ソーシャルメディア又はソーシャルネットワークのメッセージシステムに関する、フィールドの少なくとも一部分のカスタマイゼーション用のメッセージシステムの概略図である。
【図１０】ソーシャルメディア又はソーシャルネットワークのメッセージシステムに関する、フィールドのカスタマイズされた設計レイアウトを示す図である。
【発明を実施するための形態】
【００３１】
本発明は、一般に、電子メールシステム等のメッセージングシステムにおいて少なくとも１つの表示フィールドのカスタマイゼーションを実現する方法に関する。
【００３２】
一例では、表示フィールドは「ｆｒｏｍ」フィールドである。
実施形態は、受信側電子メールシステムにおいて、所望のフォント又はカスタマイズされた１つ若しくは複数の画像等のカスタマイズされた設計で、１つ又は複数のフィールドを表示することによって、表示フィールドの所望の外観を制御することを提供する。例えば、送信者の名前又は電子メールアドレスは、自分の会社、グループ、又は組織によって使用されるカスタムフォントで表示することができる。これは、例えば、ブランディング方式と一致するか、又は、例えば、電子メール管理者、ディレクタ、若しくは電子メールシステムのユーザによって少なくとも必要とされる、例えば、電子メールのブランディング又はルックアンドフィールを提供することができる。
【００３３】
電子メールアカウントから送られる電子メールの外観をカスタマイズすると、電子メール受信者の電子メールシステムにおいて表示されたとき、前記アカウントから送られた電子メールを他の無関係の電子メールのアカウント又は作者から視覚的に差別化する助けになり得る。例えば、コカコーラの従業員が受信者に電子メールを送るとき、その従業員の電子メールアドレスのすべて又は一部は、受信者の電子メールシステムにおいて、コカコーラロゴで使用されるカスタマイズされたフォントで表示することができる。受信者が自分の電子メールシステムを開くと、受信者は、アカウントの電子メールアドレスの外観の故に、コカコーラの従業員から送られた電子メールを迅速かつ容易に識別することが可能である。
【００３４】
他の実施形態は、例えば、ＵＲＬを表示フィールドに組み込むことによって、フィールドに対して少なくとも１つのアクションが実行されることを可能にすることを提供する。代替として、フォント、スタイル、サイズ、色、若しくはシンボル等の視覚表現、又は組込み素材等の、任意の適切なデジタルメディアの修正若しくは置換又は組合せ等の、設計の要素及び原理のうちの何れかを使用する、メッセージフィールドのカスタマイゼーションが本発明の範囲内に含まれる。
【００３５】
幾つかの電子メールは、送信者から１人又は複数の受信者へのメッセージをデジタルフォーマットで交換する方法であり、２つの主要な構成要素を有する。
１．メッセージヘッダ：送信者の電子メールアドレス、受信者の電子メールアドレス、並びに、件名標目及び日付／時刻スタンプ等の他の記述的情報等の制御情報を含む。
２．メッセージ本文：（例えば、テキストフォーマット又はＨＴＭＬの何れかの）テキスト及び／又は他の添付ファイルを含む。
【００３６】
少なくとも以下のフィールドを含むメッセージヘッダを提供する、幾つかの国際的に認知された「インターネットメッセージフォーマット」が存在する。
「Ｆｒｏｍ」：送信者及び受信者の電子メールアドレス、及びオプションとしての名前又はニックネーム。
「Ｄａｔｅ］：電子メールが送信者によって送信されたときの時刻及び日付。
また、少なくとも以下のフィールドを含むべきである。
「Ｍｅｓｓａｇｅ−ＩＤ」：多重配信を防止するために使用される。
「Ｉｎ−Ｒｅｐｌｙ−Ｔｏ」：関係するメッセージを一緒にリンクするために使用される。
【００３７】
他のメッセージヘッダフィールドには、以下が含まれる場合がある（しばしば含まれる）。
「Ｔｏ」：受信者の電子メールアドレス、及びオプションとして名前又はニックネーム。
「Ｓｕｂｊｅｃｔ」：メッセージのトピックの概要。
「Ｂｃｃ」：配信リストに加えられるが、他の受信者から見えないままであるアドレスを列挙する。
「Ｃｃ」：配信リストに加えられるが、電子メールの主要等レスとして意図されないアドレスを列挙する。
「Ｃｏｎｔｅｎｔ  ｔｙｐｅ」：メッセージの本文がどのように表示されるべきかについての情報を提供する。
「Ｐｒｅｃｅｄｅｎｃｅ」：（「バルク」、「ジャンク」、若しくは「リスト」等の）電子メールの値若しくは状態、又は「職場を離れている」等の受信者に関係する他の値を示すために使用される場合がある。
「Ｒｅｐｌｙ−ｔｏ」：電子メールへの任意の返答に使用されるべきアドレス。
「Ｓｅｎｄｅｒ］：送信者の代わりの電子メールの実際の送信者。及び、例えば
「Ａｒｃｈｉｖｅｄ−Ａｔ」：電子メールのアーカイブフォームへのリンク。
【００３８】
ほとんどの電子メールクライアントでは、これらのヘッダフィールドのうちの幾つかのみが表示され、これは受信側電子メールシステムがどのように構成されるかに依存し、同様に、受信側電子メールシステムによって使用されるソフトウェアに依存し得ることが諒解されよう。
【００３９】
現在のメッセージフォーマットは、ヘッダフィールドで使用され得る文字のタイプを限定する。元々、ヘッダフィールドはＡＳＣＩＩ文字の使用に制限された。より最近のメッセージフォーマットは、ユニコード文字の使用を可能にするが、そのようなメッセージフォーマットは、送信者が文字の外観を制御することを可能にしない。
【００４０】
電子メールシステムの形態のメッセージングシステムの実施形態が、図１及び図２に示されている。図１は、送信側電子メールシステム１１０がインターネット（図示せず）を介して受信側電子メールシステムに電子メールを送り、受信側電子メールシステム１３０が電子メールカスタマイゼーション登録サービスサーバ１４０からカスタムデータヘッダを取り出し、その後、ヘッダの少なくとも１つの表示フィールドが受信側及び送信側の電子メールシステムにおいてどのように表示されるかを制御するプロセスを示す。
【００４１】
図１は、受信側電子メールシステム１３０が電子メールサーバ１３１及び電子メールクライアント１３４を備えるシナリオを示す。しかしながら、本発明が他の構成に拡張され得ることを当業者は諒解されよう。例えば、幾つかの電子メールシステムは、（時々サードパーティによって実行される）さらなるサーバを使用して、電子メールサーバ１３１に渡される前に電子メールを受信し、例えば、スパムに対してフィルタリングする。
【００４２】
クライアントは、コンピュータ、タブレット、モバイルフォン、ハンドヘルドゲーミングデバイス、携帯情報端末（ＰＤＡ）、テレビジョン、又は任意の他の適切なデバイス等の、インターネット等のネットワークを介して通信して電子メールを受信するように構成された任意の電子デバイスによって提供され得る。
【００４３】
ユーザがブラウザを介して電子メールにアクセスするウェブベースの電子メールシステム、又は少なくとも電子通信要素を使用する任意の他の電子メールシステムに、本発明が拡張され得ることも当業者は諒解されよう。
【００４４】
図１のシナリオでは、送信側電子メールシステム１１０が電子メールカスタマイゼーション登録サービス１４０にすでに登録されていると仮定される。電子メールは、送信側電子メールシステム内のユーザのメールユーザエージェント（図示せず）によって構成され、受信側電子メールシステム１３０内のユーザに宛てられる。
【００４５】
送信側電子メールシステム１１０は、電子メールアドレスからメールサーバのドメイン名を解決し、１５１でそのドメイン用のメールサーバのための任意のＭＸレコードについてＤＮＳサーバ１２０に尋ねる。ＤＮＳサーバは、１５２でメールサーバを列挙するＭＸレコードで応答する。次いで、送信側電子メールシステムは、１５３でＤＮＳサーバ１２０によって識別されたメールサーバ、この場合受信側システムの電子メールサーバ１３１に電子メールを送る。図１に対する他の参照は図２においても示される。
【００４６】
図２は、電子メール検出及びカスタマイゼーションツールキット１３５が受信側電子メールシステム１３０の電子メールサーバ１３１にインストールされていることを示す。
一実施形態では、ドメイン検出器機能１３７が各々の着信電子メールのドメインを（例えば、電子メールアドレスからドメインを抽出することによって）検出し、カスタムフィールドデータを求める（図１に見られるような）要求１５４の一部としてドメインを電子メールカスタマイゼーション登録サービスサーバ１４０に送る。ドメインが電子メールアドレスの少なくとも一部を示す情報であることを当業者は諒解されよう。
【００４７】
図１及び図２を参照すると、電子メールカスタマイゼーション登録サービスの一部として２つ以上のサーバ１４０が存在する場合があることを当業者は諒解されよう。２つ以上のサーバ１４０が存在する場合、それらは、カスタムデータの複製又は（例えば、１組のドメインに固有の）データのサブセットを記憶することができる。
【００４８】
電子メールカスタマイゼーション登録サービスサーバ１４０は、カスタムデータデータベース１４１内の任意のカスタムフィールドデータを求めて（少なくともフィールドの一部又はアドレスの一部によってインデックス付けされ得る）カスタムデータを検索し、１５４でカスタムフィールドデータ又は「カスタムデータがないメッセージ」で応答する。
【００４９】
カスタムフィールドデータが見つけられた場合、それは、メール配信エージェント１３２が１５６でクライアントメールボックスに電子メールメッセージを配信する前に、電子メールカスタマイザによって電子メールメッセージに加えられる。したがって、電子メールクライアント１３４が１５７で電子メールメッセージを取り出す要求を行うと、電子メールメッセージは、それによりユーザへの電子メールアドレスの表示を制御するカスタムデータとともに、１５８でクライアントメールボックスから送られる。電子メールサーバもクライアントに電子メールをプッシュする可能性があることを当業者は諒解されよう。
【００５０】
電子メールアドレスのカスタム表示の例が、下記でより詳細に記載される図３〜図８に示されている。「カスタムデータがないメッセージ」が受信された場合、電子メールフィールドはデフォルトフォントで表示される。
【００５１】
本明細書に記載されたように、カスタムフィールドデータは、受信者の電子メールシステムの標準デフォルトフォントに対する代替フォント等の、受信側電子メールに表示されるメッセージフィールドのうちの１つ又は複数の外観に対応する場合がある。
【００５２】
本明細書において使用される「フォント」という用語、及び「複数のフォント」等の関連用語は、通常、電子メールシステムの少なくとも一部によって使用され得るコンピュータフォント又はフォントを有するファイルを指す。
【００５３】
フォントは、文字の外観を含んでいるリソース又はファイルを提供することができ、文字コードをそのような文字を表す形状又はグリフにマッピングする情報を備えることができる。
【００５４】
共通の設計スタイルを共有するフォントは、１組の標準フォント性状によって分類されるフォントファミリにグループ化される場合がある。そのようなファミリ内で、所与の文字のために表示される形状は、ストローク重み、勾配、相対幅、又は他の態様、性状、若しくは特性によって変化することができる。フォントは、そのような態様、性状、又は特性のユニークな組合せによって記載することができる。
【００５５】
フォントは、ビットマップフォントフォーマット、アウトラインフォント、ストロークベースフォント、又は、電子メールシステムによって採用若しくは使用される任意の他の適切なフォント体系を備える場合がある。
加えて、例えば、フォントには、Ｓｅｒｉｆ、Ｓａｎｓ−Ｓｅｒｉｆ、Ｍｏｎｏｓｐａｃｅｄ、Ｓｃｒｉｐｔ、Ｂｌａｃｋｌｅｔｔｅｒ、Ｎｏｎ−Ｌａｔｉｎ（例えば、日本語フォント等の非英語ベースのフォント）、Ｄｉｎｇｂａｔ若しくはＳｙｍｂｏｌベースのフォント、表示フォント若しくは装飾フォント、シミュレーションフォント若しくは擬態フォント、又は任意の他の適切なフォント体系が含まれ得る。
【００５６】
カスタマイゼーションは、カスタマイズされた電子メールアドレス、カスタマイズされた電子メールアドレスのニックネーム、識別情報、又はそれらの組合せを含む、電子メールフィールドの任意の部分を表示する形式であり得る。
【００５７】
外観に対するカスタマイゼーションは、例えば、電子メールアドレスのフォントを変更すること、又はテキスト文字を画像若しくはベクトルグラフィックスと置き換えることを含む、（設計業界で知られている）設計の任意の要素及び原理を含むことができる。
【００５８】
カスタマイゼーションは、フィールドのすべて又は特定の部分に適用することができる。例えば、カスタマイゼーションは、ドメイン部分のみに、又は「＠」シンボルの前の幾つか若しくはすべての文字、「＠」シンボル自体に、又はアドレス全体、名前、ニックネーム、若しくは他の識別情報に適用することができる。カスタマイゼーションは、選ばれる場合大文字と小文字を区別することができる。
【００５９】
電子メールアドレスがユーザインターフェース、例えばタップ又はクリックを介して対話されるとき、ユーザをＵＲＬに宛てる電子メールアドレス用のＵＲＬを指定することもできる。
【００６０】
カスタマイゼーションは、例えば、１つ又は複数の画像を含むことができる。適切な画像は、トレードマーク又はサービスマークであり得る。
他のカスタマイゼーションは、色、サイズ、フォーマッティング等であり得る。言及されたような設計の任意の要素及び原理は、望ましい結果を達成するために採用される場合がある。
【００６１】
ドメイン検出器は、ドメインを抽出するのではなく、電子メールアドレス全体を電子メールカスタマイゼーション登録サービスサーバ１４０に送る可能性があることを当業者は諒解されよう。
【００６２】
一実施形態では、これにより、同じドメイン内の２つ以上のカスタマイゼーションが可能になる。これにより、様々な製品に関与する会社の様々な部署が、それらの名前を異なるようにカスタマイズすることが可能になり得る。同様に、それにより、ウェブベースの電子メールサービスを使用する個人が、自分の個別の名前をカスタマイズすることが可能になる。
【００６３】
別の実施形態では、電子メールアドレスからドメイン又はドメインの一部を抽出してカスタムデータ１４１を検索することは、電子メールカスタマイゼーション登録サービスサーバ１４０に任される。
【００６４】
別の実施形態では、カスタムデータは、アドレスのドメイン名部分から開始する階層検索を介して導かれない、名前及び／又はニックネームを整合することに基づいて、記憶及び検索される。
【００６５】
一実施形態では、受信側電子メールシステムは、ローカルデータベース（図示せず）に任意の取り出されたカスタムデータを記憶するように構成される。
この実施形態では、ドメイン検出器１３７は、電子メールカスタマイゼーション登録サービスサーバ１４０に要求を送る前に、ローカルデータベースの初期検索を実行するように構成される。ドメイン検出器１３７が任意のローカルに記憶されたカスタムフィールドデータを特定した場合、ドメイン検出器１３７はカスタムフィールドデータを電子メールカスタマイザ１３６に渡して電子メールの少なくとも１つの表示フィールドをカスタマイズし、幾つかの実施形態では、これにより、受信者が送信者から電子メールを前に受信していなかった場合でも、カスタムフィールドデータを取り出さずに、カスタマイズされたフィールドが受信者に表示されることが可能になる。
【００６６】
幾つかの実施形態では、ドメイン検出器１３７は、この方式で使用されるカスタムデータがまだ最新であることを確認するように構成される場合がある。例えば、データが定義された期間内に使用されなかった場合、電子メールカスタマイゼーション登録サービスサーバ１４０に要求を送ることによって、電子メールカスタマイゼーション登録サービスサーバ１４０上の負担を低減し、新しいデータの要求が受信されたときに敏速に応答する能力を維持するために、そのような要求が優先度の低い要求として送られ得るか、又はそのような要求のバッチが一緒に送られ得る。
【００６７】
図２は、アドレス、又は電子メールアドレスニックネーム、名前又は識別情報である電子メールフィールドをカスタマイズし、それらを保存及び記憶し、レビュー又は変更のために保存された結果に後でアクセスするプロセスを示す。
【００６８】
図２は、電子メールカスタマイゼーションツールキット１３５が、個々の電子メールアドレス又は電子メールアドレスニックネーム等をカスタマイズするか、あるいはドメイン全体用の電子メールアドレス、単一の電子メールアドレス、又は電子メールアドレスのニックネーム若しくは表現をカスタマイズするために、電子メールカスタマイゼーション登録サービスサーバ１４０に２０１でログインするユーザによって使用され得ることを示す。設計パラメータセットを用いてこれが行われると、詳細はカスタムデータベースに保存される。ユーザは、後でログオンし、２０２で自分のカスタマイゼーションをレビューし、必要な場合それらの設計詳細に対して変更を行うことができる。
【００６９】
その変更を保存するためにユーザアカウントが必要とされる。アカウントが作成されると、ユーザは、カスタマイゼーションを保存するのに十分な権限を有するために、電子メール又は電子メールドメインの所有権又は十分な管理権限の証明を与えることが必要とされる。
【００７０】
ユーザは、電子メールアドレスの外観に対する修正を行う前に、認証することが必要とされる。電子メールクライアントが有効な認証トークンを取得するために、ユーザは、登録プロセス中に電子メールアドレスの所有権又は権限の十分な証明を与えることが必要とされる。
【００７１】
一実施形態では、電子メールクライアントは、いつでも、電子メールアドレスに対して前に行われたカスタマイゼーションを見ることができ、例えば、それらは電子メールクライアントの構成インターフェースに表示される場合がある。
【００７２】
一実施形態では、電子メール検出ツールキットは、対話することができ、カスタマイズされた電子メールフィールドの検出を可能にする、コードライブラリ又はデータベースである。コードライブラリ又はデータベースはまた、電子メールフィールドの外観の開発者が、送信側又は受信側の電子メールシステムに表示されるはずの電子メールアドレスを含む、電子メールフィールドの外観を修正することを支援する。
【００７３】
別の実施形態では、電子メールカスタマイゼーション及び検出ツールキットは、電子メールクライアントを用いて配備され、それによって使用される可能性がある。そのような実施形態の一例では、電子メールクライアント（Ｏｕｔｌｏｏｋ、Ｇｍａｉｌ、カレンダアプリケーション等）は、電子メールアドレス、ニックネーム又は表現をユーザに表示する。最初、電子メールアドレスは標準又はデフォルトのフォントで表示される。
【００７４】
電子メールクライアントは、電子メール検出ツールキットを使用して、それが現在表示しているすべての電子メールアドレスを識別する。電子メール検出ツールキットが電子メールアドレス及び／又はニックネーム若しくは表現を検出すると、それは、電子メール用の整合するカスタマイゼーションを見つけるように試みる。これは、（例えば、サーバ上の）ローカルストレージを介して、又は電子メールカスタマイゼーション登録サービス１４０への要求を行うことによって見つけることができる。
【００７５】
電子メールカスタマイゼーション登録サービス１４０は、電子メール検出ツールキットからの要求に応答する。応答は、整合する設計、例えば、電子メールに関するフォント又は画像データについての情報を含んでいる。次いで、電子メールクライアントは情報を使用して、登録された法人又は個人の識別情報に整合するように電子メールアドレスのレンダリングされた外観を更新する。
【００７６】
幾つかの実施形態では、送信側システムもカスタムデータを探索する場合がある。この点において、送信側メッセージングシステム（例えば、電子メールシステム）は、電子メールの受信時の受信側システムと同様の方式で、電子メールアドレス等のアドレスを送信者が入力すると、探索を実行するように構成される場合がある。
【００７７】
送信側システムは、ユーザが電子メールを作成している間にバックグラウンドで探索を実行することができる。代替として、送信側システムは、電子メールが送られた後、探索を実行し、送信側電子メールシステム内のフィールドの表現を更新して、後でそれらの送られた項目をナビゲートする際にユーザを支援することができる。
【００７８】
図３は、「Ｃａｌｉｂｒｉ」フォントで書かれた例示的な電子メールアドレス３１を示す。これは、標準のカスタマイズされていない電子メールアドレスの見かけ上の表現を例示するためであり、項目３２は、項目３１と同じテキストベースの電子メールアドレスを示すが、フォントは、電子メールアドレスの少なくとも一部分が項目３１のフォントとは異なるフォントであるように、項目３２においてカスタマイズされている。これは、カスタマイゼーションプロセスの一例、及びメッセージシステム内のフィールドの少なくとも一部分に対するその効果を明示するためである。
【００７９】
図４は、電子メールカスタマイゼーションインターフェース４２内の電子メールアドレス等の、カスタマイズされたフィールドの少なくとも一部分の例を示し、電子メールアドレスの少なくとも一部分４１は、メッセージシステムにおいてカスタマイズされている。
【００８０】
図５は、電子メールクライアントのインターフェース５３の読取りペイン５２内の電子メールアドレスの少なくとも一部分５０及び５１等の、メッセージシステムフィールドの少なくとも一部分がカスタマイズされた例を示す。
【００８１】
図６は、電子メールクライアントのインターフェース６１を介して、ユーザ自身のインボックスのコンテンツの表示に示されたユーザの電子メールアドレス６０等の、メッセージシステム内のフィールドの少なくとも一部分がカスタマイズされている例を示す。この例では、ユーザは、自分自身の電子メールに適用されたカスタマイゼーションを見ることができる。同様の方法で、送られている電子メールの送られた項目リスト内で、カスタマイズされた電子メールフィールドの少なくとも一部分を見ることが可能な場合もあり、それにより、電子メールカスタマイゼーションシステムが使用されているはずである。
【００８２】
図７は、連絡先項目７１に示されたように、電子メールアドレス７０等のメッセージシステム内のフィールドの少なくとも一部分がカスタマイズされている例を示す。この例は、カスタムデータが電子メールサーバ又はクライアントによってローカルに記憶される実施形態に適するはずである。
【００８３】
図８は、カレンダ項目８１において、電子メールアドレス８０等のメッセージシステム内のフィールドの少なくとも一部分がカスタマイズされている例を示す。
【００８４】
図９は、ソーシャルメディア又はソーシャルネットワークのメッセージシステムの概略表現の例を示す。電子メールシステム等のメッセージシステム内のフィールド、特には、例えば（本明細書に記載された）電子メールフィールドの少なくとも一部分のカスタマイゼーションは、少なくとも、ソーシャルメディア又はソーシャルネットワークのメッセージシステム内の少なくとも１つのフィールドのカスタマイゼーションに対する表現の等価物として使用することができる。
【００８５】
このソーシャルメディア又はソーシャルネットワークのメッセージシステムは、通信プロセスのアーキテクチャにおける違いの故に、前の電子メールシステムの実施形態とは異なる。標準の電子メールは送信側から受信側に送られるにすぎず、ソーシャルメディア又はソーシャルネットワークのメッセージシステムの場合、メッセージごとのレポジトリ９０１が存在する。
【００８６】
図９に記載されたこのレポジトリは、送信側と受信側の両方によって対話される。各々のソーシャルメディア又はソーシャルネットワークのユーザは、この中央レポジトリとの間でメッセージ９０２及び９０３を送受信する。
【００８７】
各ユーザは、少なくとも、自分のアカウントに関連付けられた名前９０４等の識別情報を有する。会話は、ソーシャルメディア又はソーシャルネットワークのユーザが互いにメッセージを送るときに作成され、レポジトリ９０５に記憶される。ユーザが会話からメッセージを読み取ると、会話から提示された名前、ニックネーム、又は他の識別情報等のユーザの識別情報の各々が表示される。（言及されたような）ユーザの表示された識別情報の表示は、会話とは無関係であり、ソーシャルメディア又はソーシャルネットワーク９０６のメッセージシステムによって管理される。
【００８８】
次いで、ソーシャルメディア又はソーシャルネットワークのメッセージシステムは、クエリ９０７、登録サービス９０８によるユーザ識別情報表示のカスタマイゼーション、及び表示されるべき関連する結果の取得に関与する。（言及されたような）それらの識別情報表示等の、フィールドの少なくとも一部分をカスタマイズすることを選んだユーザは、カスタムデータ９０８の登録サービス又はデータベースに記憶された任意の望ましい方法でカスタマイズすることができる。そのようなカスタマイゼーションは、少なくとも、電子メールフィールドメッセージシステムカスタマイゼーションシステムについて本明細書に記載された方法と同様の方法で実現することができる。例えば、これは、選ばれたフィールドを管理し、所望のパラメータに対してカスタマイズするために、メッセージシステムに安全にログオンすることを含み、同じものがカスタムデータ９０８に記憶される。
【００８９】
図１０は、ソーシャルメディア又はソーシャルネットワークに関するメッセージシステムを含む、本発明の設計レイアウト例であり、カスタマイズされた表示１００が、（言及されたような）ユーザ識別情報表示の一部として含まれる。
【００９０】
本発明の別の実施形態の例では、カスタムデータは、中央サーバ上で同期通信又は非同期通信を可能にする、ウェブベースの通信プラットフォーム上に表示される場合があり、そのような実施形態では、任意のカスタムフィールドの少なくとも一部分がカスタマイズされる可能性がある。そのようなカスタマイズされたデータは、前記通信プラットフォーム上で送信者及び／又は受信者等のメッセージユーザに表示される可能性があり、そのような例では、通信プラットフォームは、例えば、識別及び整合され得るフィールドの少なくとも一部分を有するメッセージの受信に応答して、電子メールカスタマイゼーション登録又はデータベースサービスにカスタムフィールドデータの要求を送ることができる。
【００９１】
メッセージシステムカスタマイゼーション登録又はデータベースサービスは、通信プラットフォームが送信側のカスタムデータを有するフィールドの少なくとも一部分を表示することを可能にする、カスタムデータの単一パケットを通信プラットフォームに送ることができるか、又は、メッセージが通信プラットフォームを介して送信側によって送られ、受信側によって受信されるか、若しくは見られるたびに、通信プラットフォームにカスタムデータを送ることができる。そのような通信プラットフォームの例には、限定はしないが、Ｇｏｏｇｌｅ  Ｗａｖｅ及び／又はＷａｖｅ  ｉｎ  ａ  Ｂｏｘとして知られるプラットフォーム、又はこの例示的な実施形態が使用される可能性がある任意の他のそのようなプラットフォーム等のプラットフォームが含まれる。
【００９２】
明確にするために、以下の単語及び用語は、辞書に追加されるべき定義、及び本明細書で使用される単語の文脈上の意味で提供され、本明細書に適用される。
１  「フィールド」：電子メール内のヘッダ用の領域であり、ツイッター（登録商標）の識別情報等のソーシャルメディア又はソーシャルネットワークを使用するパーティのための識別基準に等価であり、電話番号又はテキスト番号の識別情報等に等価である。
２  「本文」：電子メール構成体の下部領域であり、ソーシャルメディア又はソーシャルネットワークのコンテンツ領域、ＳＭＳテキストコンテンツ等の等価物でもある。
３  「カスタマイゼーション」：意図的に何かを設計すること、又は元々配置された項目の位置をランダムに変更するという程度までの集約、編集、同化、構成、特定等であり、したがって何かを変更する方法又は計画を有する。
４  「メッセージシステム」：本明細書で言及されたように、行われるべき任意のプロセス、システム、方法、アプリケーション、表現、及び／又は電子、デジタル、アナログ、若しくは他の電力供給された、又は他の接触用の機能を含む。
５  「ニックネーム」：電子メールアドレスとともに使用されるか、あるいは任意の接触点、接触領域、又はプロファイルの表示若しくはシステムで使用される、名前の略語、偽名、識別情報、電子メールアドレスの置き換え。
６  「アドレス」：電子メールアドレス、電話番号、ソーシャルメディア又はソーシャルネットワークのメッセージ接触基準等のエンティティ用の接触点。
７  「カスタムデータ」：「カスタマイゼーション」を受けた情報又はデータ。
８  「ポップアップ」：インターネット上で知られているように、次のウェブサイト上に進む前に、その上の情報とともにポップアップする注記等。
９  「識別情報」：アイデンティティを表すか、又はそれに関係するデータ又は情報。
１０  「ＩＤ」：識別情報又はアイデンティティの略語。
１１  「接触点」：電子メールアドレス、電話番号、ソーシャルメディア又はソーシャルネットワークのコンタクトＩＤ等のエンティティに接触する手段の具体的な詳細。
１２  「接触詳細」：接触点を構成する情報、又は接触関連情報の表示された表現。
１３  「基準点」：ＩＤ等を表す詳細。
１４  「ヘッダフィールド」：電子メール等の上部領域内のフィールド。
１５  「メッセージシステム最適化登録サービス」：メッセージシステムに関するカスタマイズされた情報又はデータを記憶する管理システムであり、場合によってデータベース、又はサーバ、又はストレージ関連物と呼ばれ得る。
【００９３】
拡張された定義を有するこれらの例示的な単語及び用語は例であり、より多くのものがこのリストに追加される可能性があることに留意されたい。しかしながら、これらは明確にするために働く良い基盤である。
【００９４】
幾つかの実施形態では、フィールドのカスタマイゼーションは、ソーシャルメディア又はソーシャルネットワークのシステムのメッセージ配信及び受信システムにおいて引き受けられる場合がある。このようにして、本明細書に記載された本発明は、当業者が電子メールシステムに関して本明細書で言及されたメッセージシステムのメッセージフィールドと等価であると考えるであろう、ソーシャルメディア又はソーシャルネットワークのメッセージシステム内のフィールドを含む、任意のメッセージシステムのフィールドに適用される可能性がある。
【００９５】
Ｆａｃｅｂｏｏｋ又はＬｉｎｋｅｄＩｎ等のソーシャルメディア又はソーシャルネットワークのサイトは、通常、同じソーシャルメディア又はソーシャルネットワークのプラットフォームの他のメンバに書かれたメッセージを送る機能をユーザに提供する。そのようなメッセージは、メッセージ受信者が見ると、少なくとも、電子メール内の「Ｆｒｏｍ」、「Ｔｏ」、又は他のフィールドのうちの少なくとも１つと等価であると考えられ得るフィールドを含む。したがって、例えば、本明細書で言及されたカスタマイゼーションプロセスの利用を介して、受信者が見たときにカスタマイズされたデータを表示することができる、ソーシャルメディア又はソーシャルネットワークのメッセージシステム内のメッセージの送信者による、メッセージフィールドの少なくとも一部分のカスタマイゼーションに、本発明が適用される場合もあることを当業者は認識されよう。
【００９６】
さらなる実施形態の例では、少なくとも電子メールカスタマイゼーション登録サービスの等価物の形態は、ソーシャルメディア又はソーシャルネットワークのメッセージシステム内に実施される場合がある（図９参照）。そのような実施形態の例では、ソーシャルメディア又はソーシャルネットワークのメッセージシステムプラットフォーム内でメッセージを受信すると、受信者のプラットフォームアカウントは、カスタムフィールドデータを求めてメッセージシステムカスタマイゼーション登録サービスに情報の要求を送るはずであり、（ソーシャルメディア又はソーシャルネットワークのメッセージシステム内の「Ｆｒｏｍ」フィールド等の）カスタムフィールドデータを受信すると、受信されたメッセージは、カスタマイズされたフォーマットで受信者のプラットフォームに表示される。メッセージシステムカスタマイゼーション登録サービスは、ソーシャルメディア又はソーシャルネットワークのシステムの一部である可能性があるか、又はソーシャルメディア又はソーシャルネットワークのシステム外部のサードパーティによって提供される場合がある。
【００９７】
ユーザに対する言及は、（本明細書で言及された）メッセージシステムを使用するか、又はそれと対話するエンティティであり、少なくとも、人間、組織、グループ、企業、法人、エンティティ、パーティ等であることに留意されたい。
【００９８】
カスタマイズに対する言及は、少なくとも、項目の（本明細書で言及された、設計業界において知られているような、設計の要素及び原理のうちの何れかを含む）設計、又は何かの外観に関するパラメータを設定することを意味することに留意されたい。さらに、カスタマイズは、情報若しくはデータの集約、編集、構成、特定等、又は、そうでなければデフォルトの設定、スタイル、設計等で表示されているそのような項目とは対照的に、項目を変更し、このようにカスタマイズするために、少なくとも、設計機能の要素を一緒にするか、若しくは構成する任意の他の手段若しくは方法を含むことと読まれるべきである。
【００９９】
インターネットに接続された媒体を用いて、ユーザはポータルにアクセスすることができ、十分な識別情報及びセキュリティパス機能、例えば、ユーザ名とパスワードを用いて、（本明細書で言及された）メッセージシステム内のフィールドの少なくとも一部分のプロファイルをセットアップし、カスタマイズすることができることに留意されたい。プロファイルは、ユーザに関するすべての情報、例えば、名前、電子メールアドレス、電子メールアドレスニックネーム、又は、表現若しくは基準点情報等の他の識別情報を包含し、カスタマイズされ得る項目は、本明細書に記述されたすべてのそれらの情報を含み、電話番号、携帯電話番号、アドレス、写真、テキストメッセージ、及び、ユーザに関する任意の他の情報を含むことができ、それらは、メッセージシステムにおいて使用するとき他のパーティによって見られるか、又は見られない。
【０１００】
本明細書で言及されたメッセージシステムは、任意の適用可能な電子通信デバイス上で、かつ任意の適用可能なソフトウェア又はプラットフォームとともに使用することができる。プラットフォームの例には、ソーシャルメディア又はソーシャルネットワークのシステム、例えば、Ｆａｃｅｂｏｏｋ、Ｇｏｏｇｌｅ＋、Ｔｕｍｂｌｒ、Ｔｗｉｔｔｅｒ、Ｎｅｘｏｐｉａ、Ｌｉｎｋｅｄｉｎ、Ｍｏｎｓｔｅｒ．ｃｏｍ、Ｆｏｕｒｓｑｕａｒｅ、Ｇｏｗａｌｌａ、Ｙｅｌｐ、及びＭｙＳｐａｃｅ等の、任意の通信システムが含まれる。
【０１０１】
本明細書で言及されたメッセージシステムは、Ｍａｔｃｈ．ｃｏｍ、Ｙａｈｏｏ  Ｐｅｒｓｏｎａｌｓ、ｅＨａｒｍｏｎｙ．ｃｏｍ等のデートサービスを含む他の通信システム上で使用することもできる。
【０１０２】
本明細書で言及されたメッセージシステムは、Ｎｉｎｇ、ＴｅｒｍＷｉｋｉ、ＴｅａｃｈＳｔｒｅｅｔ、及びＭｙＹｅａｒｂｏｏｋ等の教育関連サービスを含む他の通信システム上で使用することもできる。
【０１０３】
本明細書で言及されたメッセージシステムは、インスタントメッセージング、ＬＡＮメッセンジャ、マルチキャスト又はチャットルーム、連絡先リスト又は仲間リスト又は友人リスト等を含む他の通信システムを含む他の通信システム上で使用することもできる。
【０１０４】
本明細書で言及されたメッセージシステムは、Ａｎａｈｉｔａ  Ｓｏｃｉａｌ  Ｎｅｔｗｏｒｋｉｎｇ  Ｅｎｇｉｎｅ、Ｄｉａｓｐｏｒａ、Ａｐｐｌｅｓｅｅｄ  Ｐｒｏｊｅｃｔ、ＯｎｅＳｏｃｉａｌＷｅｂ、Ｋｕｎｅ、ＳｔａｔｕｓＮｅｔ、及びＴｅｎｔ等を含む、ソーシャルメディア又はソーシャルネットワークのサービスに使用するオープンソースソフトウェアを含む他の通信システム上で使用することもできる。
【０１０５】
これらの技術は、しばしば、ソーシャルエンジン又はソーシャルネットワーキングエンジンソフトウェアと呼ばれる。
【０１０６】
本明細書で言及されたメッセージシステムは、任意のネットワーク、インターネット、衛星、ＧＰＳ、携帯電話等を含む任意の形態の通信システム上で使用することもでき、ネットワーク又はインターネットに接続するために、任意の媒体によって使用することができ、本明細書で言及された任意のメッセージシステムを使用することができる。
【０１０７】
本発明は、（本明細書で言及された）任意の適用可能なソフトウェア及びプログラミングを使用し、（本明細書で言及された）任意の適用可能なデバイス又は媒体上で見ることができる、メッセージシステム内のフィールド、及びメッセージシステム内のプロファイルを、それによりユーザがカスタマイズすることができる、方法、システム、プロセス、アプリケーション、及び製品であることに留意されたい。
【０１０８】
本発明は、適用可能なデバイス又は媒体上で少なくともパーティが見ることができ、幾つかの他の例では、本発明は、例えば、携帯電話上でプロファイルがセットアップされるとき、エンドプロファイルユーザではないパーティが使用又はセットアップすることができることに留意されたい。
【０１０９】
次いで、エンドユーザは、ソフトウェア若しくは適用可能なプラットフォーム、及び／又は関連設定、例えば、カスタマイズされた関連メッセージシステムフィールド及び／又はプロファイル情報を介して、プロファイルを拒否することができ、その結果、制御は発明ユーザによって維持され、この場合、ユーザは、例えば、通話及び電話テキストメッセージの受信者であり、次いで、これに基づいて、適切なシステム及び機能を用いて、（本明細書で言及された）受信者のネットワークデバイス上に現れることができるそのようなカスタマイズされた項目を含む、別のパーティ詳細のメッセージシステム内の適用可能なフィールド又はプロファイルをカスタマイズすることができる。
【０１１０】
本明細書で言及されたメッセージシステムのうちの何れかの場合、そのようなメッセージシステムをサポートするために必要なすべてのプログラミング及びソフトウェアは、通信ネットワークに沿った各々の関係する、必要な、又は選ばれた構成要素又はプラットファームに、必要に応じてインストールすることができる。これは、例えば、ユーザ又はビューアによって使用される任意の通信関連の製品又はシステムを含むことができる、ありとあらゆるシステムを含む。これは、メッセージシステム内のフィールドの少なくとも一部分のカスタマイゼーションが、それにより、異なるパーティのビューア又は受信者によって実現され得るシステムも含むことができる。
【０１１１】
本発明の趣旨及び範囲から逸脱することなく、多くの修正を行うことができることが、本発明の当業者に理解されよう。例えば、図１では、電子メールカスタマイゼーション登録サービス１４０が受信側システムとは別個に示されているが、それは、受信側システム内に組み込まれる可能性がある。例えば、受信側システムがウェブベースの電子メールシステムである場合、電子メールカスタマイゼーション登録サービス１４０は、そのシステムのユーザのみが自分の電子メールアドレスをカスタマイズすることを可能にするために使用される可能性がある。
【０１１２】
以下の特許請求の範囲において、かつ先行する発明を実施するための形態において、文脈が言語又は必要な暗示を表すために特に必要とする場合を除き、「備える（ｃｏｍｐｒｉｓｅ）」という単語、又は「備える（ｃｏｍｐｒｉｓｅｓ）」若しくは「備えている（ｃｏｍｐｒｉｓｉｎｇ）」等の変形形態は、包括的な意味で、すなわち、本発明の様々な実施形態におけるさらなる特徴の存在又は追加を排除するためではなく、述べられた特徴の存在を指定するために使用される。
【０１１３】
以下の特許請求の範囲において、かつ先行する発明を実施するための形態において、文脈が言語又は必要な暗示を表すために特に必要とする場合を除き、「クリック（ｃｌｉｃｋ）」という用語、又は「クリック（ｃｌｉｃｋｓ）」等の変形形態は、「ダブルクリック」という用語、又はカーソルを回転させること、若しくはタッチスクリーン上で指をスライドさせること等の適切な他のＧＵＩ操作機能を含む。
【０１１４】
任意の従来技術の公告が本明細書で言及された場合、そのような言及は、その公告が任意の国における当技術分野で共通の一般知識の一部を形成することの容認を構成しないことを理解されたい。
【図１】
2016539428.tif 000003
【図２】
2016539428.tif 000004
【図３】
2016539428.tif 000005
【図９】
2016539428.tif 000006
【図４】
2016539428.tif 000007
【図５】
2016539428.tif 000008
【図６】
2016539428.tif 000009
【図７】
2016539428.tif 000010
【図８】
2016539428.tif 000011
【図１０】
2016539428.tif 000012
【国際調査報告】
2016539428.tif 000013
2016539428.tif 000014
2016539428.tif 000015